(57)【特許請求の範囲】
【請求項１】
上位レイヤフレームのペイロード領域を複数のスロットに分割して、前記スロットに下位レイヤフレームをマッピングし、複数の前記スロットの内のどの前記スロットに、同一種別の前記下位レイヤフレームがマッピングされているかを示す連接情報を含めて前記上位レイヤフレームを送信するフレーム送信部を含むフレーム送信装置と、
前記上位レイヤフレームを受信するフレーム受信部と、前記下位レイヤフレームのフレーム同期を検出するフレーム同期検出部とを含むフレーム受信装置と、
を備え、
前記フレーム同期検出部は、
前記連接情報にもとづいて、同一種別の前記下位レイヤフレームがマッピングされている前記スロットである割当スロットを認識し、
前記割当スロットにマッピングされている、同一種別の前記下位レイヤフレームのフレーム先頭信号を認識して、前記フレーム同期を検出し、
前記フレーム同期検出部は、
前記フレーム先頭信号を形成するフレーム先頭信号要素を検出してフラグを生成し、
前記割当スロットにマッピングされている前記フレーム先頭信号要素の前記フラグを集約して、同一種別の前記下位レイヤフレームの前記フレーム先頭信号を認識する、
ことを特徴とする通信システム。
【請求項２】
上位レイヤフレームのペイロード領域が複数のスロットに分割されて、前記スロットに下位レイヤフレームがマッピングされた前記上位レイヤフレームを受信するフレーム受信部と、
前記下位レイヤフレームのフレーム同期を検出するフレーム同期検出部と、
を備え、
前記フレーム受信部は、複数の前記スロットの内のどの前記スロットに、同一種別の前記下位レイヤフレームがマッピングされているかを示す連接情報を抽出し、
前記フレーム同期検出部は、
前記連接情報にもとづいて、同一種別の前記下位レイヤフレームがマッピングされている前記スロットである割当スロットを認識し、
前記割当スロットにマッピングされている、同一種別の前記下位レイヤフレームのフレーム先頭信号を認識して、前記フレーム同期を検出し、
前記フレーム同期検出部は、
前記フレーム先頭信号を形成するフレーム先頭信号要素を検出してフラグを生成し、
前記割当スロットにマッピングされている前記フレーム先頭信号要素の前記フラグを集約して、同一種別の前記下位レイヤフレームの前記フレーム先頭信号を認識する、
ことを特徴とするフレーム同期検出装置。
【請求項３】
フレーム同期検出方法において、
上位レイヤフレームのペイロード領域が複数のスロットに分割されて、前記スロットに下位レイヤフレームがマッピングされた前記上位レイヤフレームを受信し、
複数の前記スロットの内のどの前記スロットに、同一種別の前記下位レイヤフレームがマッピングされているかを示す連接情報を抽出し、
前記連接情報にもとづいて、同一種別の前記下位レイヤフレームがマッピングされている前記スロットである割当スロットを認識し、
前記割当スロットにマッピングされている、同一種別の前記下位レイヤフレームのフレーム先頭信号を認識して、フレーム同期を検出し、
前記フレーム先頭信号を形成するフレーム先頭信号要素を検出してフラグを生成し、
前記割当スロットにマッピングされている前記フレーム先頭信号要素の前記フラグを集約して、同一種別の前記下位レイヤフレームの前記フレーム先頭信号を認識する、
ことを特徴とするフレーム同期検出方法。
【発明の詳細な説明】
【技術分野】
【０００１】
本発明は、情報通信を行う通信システム、フレーム同期検出を行うフレーム同期検出装置およびフレーム同期検出方法に関する。
【背景技術】
【０００２】
光通信の基幹網を支える伝送技術の１つに、OTN（Optical Transport Network）があり、ITU−T（International Telecommunication Union Telecommunication Standardization Sector）で標準化されている。【０００３】
OTNは、SONET／SDH（Synchronous Optical Network／Synchronous Digital Hierarchy）、Ethernet（登録商標）等のクライアント信号を収容し、階梯構造を持つフレームを生成して、WDM（Wavelength Division Multiplexing）に適したデータ伝送を行う技術である。【０００４】
一方、近年になって、既存の階梯構造との接続性を維持しながら、多様なクライアント信号をいかに収容して、効率よくデータ伝送を実現するかのOTN拡張の議論が高まっている。【０００５】
OTN拡張の一例としては、LO（Lower Order）−ODU（Optical Channel Data Unit）、HO（High Order）−ODUのクライアント収容方式が注目されている。
これは、クライアント信号として、SONET／SDHやEthernet等のデータ信号の他に、フレーム構造を持つ信号も多重化して収容させることで、クライアント信号収容の柔軟性を高めようとするものである。【０００６】
クライアント信号として収容されるフレームがLO−ODUと呼ばれ、LO−ODUの格納先のフレームがHO−ODUと呼ばれる。LO−ODUは、HO−ODUのペイロード領域内にマッピングされて送信され、受信側において、LO−ODUのフレーム同期が検出されてモニタリングが行われる。【０００７】
フレーム同期に関する従来技術としては、STM−N内のSTM1の個々についてフレーム同期をとる技術が提案されている（特許文献１）。また、フレーム同期用の固定パターンの検出を短縮化した技術が提案されている（特許文献２）。
【先行技術文献】
【特許文献】
【０００８】
【特許文献１】特開平８−２６５２８５号公報
【特許文献２】特開２００８−２７８１３７号公報
【発明の概要】
【発明が解決しようとする課題】
【０００９】
HO−ODUに収容されるLO−ODUは、伝送レートによって複数の種別があり、HO−ODUにマッピングされる際は、複数種別のLO−ODUが１つのHO−ODUのペイロード領域に離散的にマッピングされる。また、受信側でLO−ODUをモニタリングするときは、LO−ODUのフレーム同期を確立する。【００１０】
フレーム同期を確立するにあたっては、LO−ODU種別毎のセレクタ回路を設けて各種別のLO−ODUを選別し、選別後のLO−ODUに対して、同期検出制御を行うといった構成が考えられる。【００１１】
しかし、このような回路構成では、LO−ODUの種別毎にフレーム同期検出を行うための並列した複数の制御系が必要になる。このため、想定しうるLO−ODU最大種別の個数分の制御系をあらかじめ用意しておくことになり、装置規模（回路規模）が増大し、またインプリメントの難易度が増大するといった問題があった。【００１２】
本発明はこのような点に鑑みてなされたものであり、フレーム同期検出を効率よく行って装置規模の削減を図った通信システムを提供することを目的とする。
また、本発明の他の目的は、フレーム同期検出を効率よく行って装置規模の削減を図ったフレーム同期検出装置を提供することである。【００１３】
さらに、本発明の他の目的は、フレーム同期検出を効率よく行って装置規模の削減を図ったフレーム同期検出方法を提供することである。
【課題を解決するための手段】
【００１４】
上記課題を解決するために、通信システムが提供される。この通信システムは、上位レイヤフレームのペイロード領域を複数のスロットに分割して、前記スロットに下位レイヤフレームをマッピングし、複数の前記スロットの内のどの前記スロットに、同一種別の前記下位レイヤフレームがマッピングされているかを示す連接情報を含めて前記上位レイヤフレームを送信するフレーム送信部を含むフレーム送信装置と、前記上位レイヤフレームを受信するフレーム受信部と、前記下位レイヤフレームのフレーム同期を検出するフレーム同期検出部とを含むフレーム受信装置とを備える。前記フレーム同期検出部は、前記連接情報にもとづいて、同一種別の前記下位レイヤフレームがマッピングされている前記スロットである割当スロットを認識し、前記割当スロットにマッピングされている、同一種別の前記下位レイヤフレームのフレーム先頭信号を認識して、前記フレーム同期を検出し、前記フレーム同期検出部は、前記フレーム先頭信号を形成するフレーム先頭信号要素を検出してフラグを生成し、前記割当スロットにマッピングされている前記フレーム先頭信号要素の前記フラグを集約して、同一種別の前記下位レイヤフレームの前記フレーム先頭信号を認識する。
【発明の効果】
【００１５】
装置規模を削減することが可能になる。
本発明の上記および他の目的、特徴および利点は本発明の例として好ましい実施の形態を表す添付の図面と関連した以下の説明により明らかになるであろう。
【図面の簡単な説明】
【００１６】
【図１】通信システムの構成例を示す図である。
【図２】OTNのフレーム階梯構造を示す図である。
【図３】OTUのフレームフォーマットを示す図である。
【図４】LO−ODUのフレームフォーマットを示す図である。
【図５】HO−ODUのペイロード分割を示す図である。
【図６】LO−ODU0のマッピング状態を示す図である。
【図７】LO−ODU0のマッピング状態を示す図である。
【図８】LO−ODU1のマッピング状態を示す図である。
【図９】LO−ODU1のマッピング状態を示す図である。
【図１０】マッピングの順番を示す図である。
【図１１】マッピングの順番を示す図である。
【図１２】スタッフが挿入されている状態を示す図である。
【図１３】フレーム受信装置の構成例を示す図である。
【図１４】連接情報を説明するための図である。
【図１５】FAS要素フラグを示す図である。
【図１６】FAS要素フラグの生成パターン例を示す図である。
【図１７】FAS要素フラグの生成パターン例を示す図である。
【図１８】デマッピング処理の動作を示す図である。
【図１９】FAS要素検出の動作を示す図である。
【図２０】フレーム同期処理部のブロック構成を示す図である。
【図２１】TS個別フレーム同期処理部のブロック構成を示す図である。
【図２２】FAS検出情報を示す図である。
【図２３】フレームカウンタの動作を説明するための図である。
【図２４】TS個別オーバヘッド処理部を示す図である。
【図２５】TS個別BIPチェック処理部を示す図である。
【発明を実施するための形態】
【００１７】
以下、本発明の実施の形態を図面を参照して説明する。図１は通信システムの構成例を示す図である。通信システム１は、フレーム送信装置２０とフレーム受信装置１０を備える。
【００１８】
フレーム送信装置２０は、フレーム送信部２１を含む。フレーム送信部２１は、上位レイヤフレームのペイロード領域を複数のスロットに分割して、分割したスロットに下位レイヤフレームをマッピングする。
【００１９】
また、複数のスロットの内のどのスロットに、同一種別の下位レイヤフレームがマッピングされているかを示す連接情報を生成する。そして、上位レイヤフレームのオーバヘッドに連接情報を含めて、上位レイヤフレームを送信する。
【００２０】
フレーム受信装置１０は、フレーム受信部１１とフレーム同期検出部１２を含む。フレーム受信部１１は、上位レイヤフレームを受信する。フレーム同期検出部１２は、上位レイヤフレームにマッピングされている下位レイヤフレームのフレーム同期を検出する。
【００２１】
ここで、フレーム同期検出部１２は、連接情報にもとづいて、同一種別の下位レイヤフレームがマッピングされているスロットである割当スロットを認識する。そして、割当スロットにマッピングされている、同一種別の下位レイヤフレームのフレーム先頭信号を認識して、フレーム同期を検出する。
【００２２】
この場合、フレーム同期検出部１２では、スロットにマッピングされている、下位レイヤフレームのフレーム先頭信号を形成しているフレーム先頭信号要素をすべて検出して、すべてのフレーム先頭信号要素のフラグを生成する。
【００２３】
その後、割当スロットにマッピングされているフレーム先頭信号要素のフラグを集約することで、同一種別の下位レイヤフレームのフレーム先頭信号を認識して、下位レイヤフレームのフレーム同期検出を行う。なお、詳細動作については具体例を用いて後述する。
【００２４】
次に通信システム１をOTNのシステムに適用した場合について以降説明する。最初にOTNのフレーム構成について説明する。
図２はOTNのフレーム階梯構造を示す図である。OTNのフレームは、階梯構造をとり、下位レイヤから上位レイヤに向かって、OPU（Optical Channel Payload Unit）フレーム、ODU（Optical Channel Data Unit）フレーム、OTU（Optical Channel Transport Unit）フレームと呼ばれる。
【００２５】
SONET／SDH、Ethernet等のクライアント信号をペイロードに収容し、このペイロードに制御情報であるオーバヘッド（OH）を付加してOPUフレームが生成される。また、OPUフレームにオーバヘッドを付加してODUフレームが生成される。さらに、ODUフレームにオーバヘッドと誤り訂正符号（FEC：Forward Error Correction）を付加してOTUフレームが生成される。
【００２６】
なお、OPUフレームのオーバヘッドはOPU−OHと呼ばれ、ODUフレームのオーバヘッドはODU−OHと呼ばれ、OTUフレームのオーバヘッドはOTU−OHと呼ばれる。また、ペイロードに収容されるクライアント信号には、SONET／SDH、Ethernet等のデータ信号の他に、LO−ODUのフレームが収容可能である。
【００２７】
図３はOTUのフレームフォーマットを示す図である。OTUフレームは、オーバヘッド領域、ペイロード領域およびFEC領域を備える。
オーバヘッド領域は、１列目〜１６列目の１６バイト×４行のフレームサイズを有し、ペイロード領域は、１７列目〜３８２４列目の３８０８バイト×４行のフレームサイズを有し、FEC領域は、３８２５列目〜４０８０列目の２５６バイト×４行のフレームサイズを有する。
【００２８】
オーバヘッド領域には、OPUフレームのオーバヘッドであるOPU−OHと、ODUフレームのオーバヘッドであるODU−OHと、OTUフレームのオーバヘッドであるOTU−OHとが含まれる。さらに、フレームの先頭を示すフレーム先頭信号であるFAS（Frame Alignment Signal）が含まれる。
【００２９】
FASは、１行目の１列目〜６列目に配置される。また、OTU−OHは、１行目の７列目〜１４列目に配置され、ODU−OHは、２行目〜４行目の１列目〜１４列目に配置される。さらに、OPU−OHは、１行目〜４行目の１５列目〜１６列目に配置される。
【００３０】
図４はLO−ODUのフレームフォーマットを示す図である。LO−ODUは、ODUフレームにFASが付加されたフレームフォーマットを有しており、オーバヘッド領域には、FAS、ODU−OHおよびOPU−OHが含まれる。
【００３１】
なお、LO−ODUがマッピングされるHO−ODUのフレームフォーマットは、ODUフレームと同じフォーマットである（HO−ODUのオーバヘッド領域には、ODU−OHおよびOPU−OHが含まれる）。
【００３２】
次にHO−ODUへのLO−ODUのマッピング方法について説明する。マッピングを行うにあたっては、まずHO−ODUのペイロード領域を複数のスロットに分割し、LO−ODUの必要帯域分の分割スロットに対して、LO−ODUをマッピングする。以降では、分割されたスロットをTS（Tributary Slot）と呼ぶ。なお、HO−ODUは、上位レイヤフレームに該当し、LO−ODUは、下位レイヤフレームに該当する。
【００３３】
図５はHO−ODUのペイロード分割を示す図である。一例として、HO−ODU4におけるペイロードの分割構成を示している。HO−ODU4では、帯域が約1.25Gbs相当のTSでペイロード領域を分割して、TS８０個を１つの単位として区分けする。そして、１単位８０個のTSにLO−ODUをマッピングする。図では左から右方向へTS８０個を１つのまとまりとして、＃１〜＃８０の番号を付けている。
【００３４】
ここで、TS１つ当たり約1.25Gbs相当の帯域を持つため、伝送レートが約1.25GbsのLO−ODU0であれば、８０個のTSの内の１個のTSにLO−ODU0をマッピングすることになる。
また、伝送レートが約2.5GbsのLO−ODU1であれば、８０個のTSの内の２個のTSにLO−ODU1をマッピングする。さらに、伝送レートが約10GbsのLO−ODU2であれば、８０個のTSの内の８個のTSにLO−ODU2をマッピングする。さらにまた、伝送レートが約40GbsのLO−ODU3であれば、８０個のTSの内の３２個のTSにLO−ODU3をマッピングすることになる。
【００３５】
次にLO−ODU0およびLO−ODU1におけるマッピング例について図６〜図９を用いて説明する。図６、図７はLO−ODU0のマッピング状態を示す図である。図６は、HO−ODU4のペイロードにLO−ODU0をマッピングしている状態を示している。
【００３６】
LO−ODU0は、伝送レートが約1.25Gbsであるので、１個のTSにマッピングすることになり、図の場合は、TS＃1にマッピングしている例である（TS＃1が割当スロットとなる）。また、図７は、TS＃1〜TS＃80を縦方向に並べたときのLO−ODU0のマッピング状態を示している。
【００３７】
図８、図９はLO−ODU1のマッピング状態を示す図である。図８はHO−ODU4のペイロードにLO−ODU1をマッピングしている状態を示している。LO−ODU1は、伝送レートが約2.5Gbsであるので、２個のTSにマッピングすることになり、図の場合は、TS＃2、TS＃5にマッピングしている例である（TS＃2、TS＃5が割当スロットとなる）。また、図９は、TS＃1〜TS＃80を縦方向に並べたときのLO−ODU1のマッピング状態を示している。
【００３８】
複数のTSを使用してマッピングする場合においては、上記のように隣接するTSを使う必要はなく、任意のTSを使用することが可能である。なお、LO−ODU3以降のLO−ODUkについても上記と同様なやり方でマッピングされる。
【００３９】
次に複数のTSにLO−ODUをマッピングする際の順番について説明する。図１０、図１１はマッピングの順番を示す図である。図中に示す番号は、マッピングの順番を示している。図１０はLO−ODU1の場合を示している。LO−ODU1では、２つのTSとして、TS＃2、TS＃5を使用する場合、このときのデータのマッピングは、図に示す矢印のような流れとなる。すなわち、２つのTSにまたがってマッピングされる。
【００４０】
図１１はLO−ODU2の場合を示している。LO−ODU2では、８つのTSとして、TS＃4、＃7、＃10、＃13、＃16、＃19、＃22、＃25を使用する場合、このときのデータのマッピングは、８つのTSにまたがって図に示す矢印のような流れでマッピングされる。
【００４１】
次にスタッフィングについて説明する。図１２はスタッフが挿入されている状態を示す図である。HO−ODUのTSで確保された帯域と、LO−ODUの帯域とに差分がある場合は、図に示すように、固定パターンのスタッフデータを適宜挿入して、スタッフィングを行いながら飛び飛びにマッピングを行う。このように、HO−ODUに対して、LO−ODUは離散的に、かつスタッフ領域を挟みながら不連続に配置されることになる。
【００４２】
次にフレーム受信装置１０（フレーム同期検出装置）の構成について説明する。図１３はフレーム受信装置の構成例を示す図である。フレーム受信装置１０ａは、HO−ODU4フレームの受信処理を行うものとし、８０個のTSを処理する場合の構成例を示している。
【００４３】
フレーム受信装置１０ａは、HO−ODUオーバヘッド処理部１１ａ、TS分割処理部１１ｂ、デマッピング処理部１２ａ−１〜１２ａ−８０、FAS要素検出部１２ｂ−１〜１２ｂ−８０、フレーム同期処理部１２０、LO−ODUオーバヘッド抽出部１２ｄ−１〜１２ｄ−８０、BIP（Bit Interleaved Parity）演算部１２ｅ−１〜１２ｅ−８０、LO−ODUオーバヘッド処理部１２ｆおよびBIPチェック処理部１２ｇを備える。
【００４４】
なお、HO−ODUオーバヘッド処理部１１ａとTS分割処理部１１ｂは、図１のフレーム受信部１１の機能に含まれ、その他の構成要素は、図１のフレーム同期検出部１２の機能に含まれる。
【００４５】
HO−ODUオーバヘッド処理部１１ａは、HO−ODU4フレームを受信してオーバヘッドを認識する。そして、認識したオーバヘッドから、スタッフ位置を示すデマッピング情報と、連接情報とを認識して出力する。
【００４６】
なお、連接情報は、分割された複数TSの内の何番のTSにLO−ODUがマッピングされているかを示す情報である。したがって、ここの例では、フレーム送信側でHO−ODU4にLO−ODUがマッピングされた際に、８０個のTSの内の何番のTSにLO−ODUがマッピングされているかを示す情報となる。
【００４７】
例えば、LO−ODU0がTS＃1にマッピングされているならば、LO−ODU0に関する連接情報は、TS＃1となる。また、LO−ODU1がTS＃2、TS＃5にマッピングされているならば、LO−ODU1に関する連接情報は、TS＃2、TS＃5となる（連接情報については図１４でも後述する）。
【００４８】
TS分割処理部１１ｂは、HO−ODU4フレームを受信してペイロードを認識する。そして、HO−ODU4フレームのペイロード部分をTS単位に分割し、TSにマッピングされているデータを出力する。
【００４９】
デマッピング処理部１２ａ−１〜１２ａ−８０は、デマッピング情報にもとづいて、１つのTS内のデータ部分とスタッフ部分とを認識する。FAS要素検出部１２ｂ−１〜１２ｂ−８０は、TS毎のデータ列より、FASを形成しているFAS要素を検出して、FAS要素フラグを生成する。
【００５０】
フレーム同期処理部１２０は、連接情報およびFAS要素フラグにもとづき、内部に有するフレームカウンタを動作させることによって、LO−ODUのフレーム同期検出およびフレーム認識を行う。また、LO−ODUフレームのオーバヘッドの位置情報やBIP演算の範囲情報を含む制御情報を出力する。
【００５１】
LO−ODUオーバヘッド抽出部１２ｄ−１〜１２ｄ−８０は、制御情報の１つのオーバヘッド位置情報にもとづき、TS毎にLO−ODUのオーバヘッドを抽出してオーバヘッドのデータを出力する（TS分離したデータ列のままオーバヘッド抽出を行う）。BIP演算部１２ｅ−１〜１２ｅ−８０は、BIP演算の範囲情報にもとづいて、TS毎にBIP演算を行い、演算結果を出力する（TS分離したデータ列のままBIP演算を行う。
【００５２】
LO−ODUオーバヘッド処理部１２ｆは、LO−ODUオーバヘッド抽出部１２ｄ−１〜１２ｄ−８０で抽出されたオーバヘッドの情報を集約してモニタ処理を行う（オーバヘッドに含まれるシステムの接続情報、運用管理情報等のモニタを行う）。また、障害情報を示すアラーム信号や、運用状態を示すステータス信号等を含むモニタ結果情報を出力する。
【００５３】
BIPチェック処理部１２ｇは、BIP演算部１２ｅ−１〜１２ｅ−８０にて演算されたBIP演算結果を集約して、LO−ODUフレームとしてのBIP演算値とした後、BIPチェックを行う。また、BIP演算結果として通信誤り状態を示すアラーム信号や、通信品質レベルを示すステータス信号等を含む通信品質状態情報を出力する。
【００５４】
図１４は連接情報を説明するための図である。どのTSとどのTSとが組みになって、LO−ODUがマッピングされているかという判断は、HO-ODU内のオーバヘッドに格納されている連接情報により判断する。
【００５５】
連接情報の入ったオーバヘッドは、各TSに対する論理ポート番号が格納されており、この情報からどのTS同士が連接しているかが識別可能となる。図の例では、TS＃２、TS＃５のみが“１”という同じ値になっているため、この２つが連接しているとわかる。
【００５６】
次にFAS要素検出部１２ｂ−１〜１２ｂ−８０が出力するFAS要素フラグについて説明する。図１５はFAS要素フラグを示す図である。例えば、FASは48byteであり、0xF6、0x28のFAS要素を持つものとする（以下、“0x”の表記は省略する）。FASのパターンは、F6、F6、F6、28、28、28の48byteである。また、FASは、F6要素と28要素を含むため、FAS要素フラグは、F6要素フラグと28要素フラグを有している。
【００５７】
図１６はFAS要素フラグの生成パターン例を示す図である。LO−ODU0に関するFAS要素フラグの生成パターン例を示している。LO−ODU0は、1つのTS＃1にデータ列をマッピングするので、TS＃1のみにF6、F6、F6、28、28、28と1byteずつFAS要素が配置される。したがって、F6の部分に対してF6要素フラグｆａが立ち、28の部分に対して28要素フラグｆｂが立つ。
【００５８】
図１７はFAS要素フラグの生成パターン例を示す図である。LO−ODU1に関するFAS要素フラグの生成パターン例を示している。LO−ODU1は、２つのTS＃2、TS＃5にデータ列をマッピングする。
【００５９】
したがって、図１０で上述したように、FAS要素の１つ目のF6がTS＃2に配置すると、TS＃5にFAS要素の２つ目のF6が配置し、TS＃2にFAS要素の３つ目のF6が配置する。また、TS＃5にFAS要素の１つ目の28が配置し、TS＃2にFAS要素の２つ目の28が配置し、TS＃5にFAS要素の３つ目の28が配置する。したがって、F6の部分に対してF6要素フラグｆａ１、ｆａ２が立ち、28の部分に対して28要素フラグｆｂ１、ｆｂ２が立つ。
【００６０】
次に構成要素毎の動作について、HO−ODU4フレームにおけるTS＃2、TS＃5にLO−ODU1の信号がマッピングされている場合を例にして説明する。
フレーム送信側では、HO−ODU4フレームのTS＃2、TS＃5にLO−ODU1の信号をマッピングして送信する。HO−ODU4へのLO−ODU1のマッピング状態は図８、図９で上述した通りである。
【００６１】
図１８はデマッピング処理の動作を示す図である。LO−ODU1は、スタッフによりレート調整されながらマッピングされている。デマッピング処理部では、スタッフ位置を示すデマッピング情報にもとづいて、データ領域とスタッフ領域とを選別し、データ領域が有効部分であることを示すイネーブル信号（例えば、データ領域でHレベル、スタッフ領域でLレベル）を生成する。
【００６２】
図１９はFAS要素検出の動作を示す図である。FAS要素検出部は、スタッフが挿入されているTS＃2、TS＃5の各データストリームから、F6、28のFAS要素を検出してFAS要素フラグを生成する。なお、FAS要素の検出、フラグ生成については、図１７と同じなので説明は省略する。
【００６３】
図２０はフレーム同期処理部１２０のブロック構成を示す図である。フレーム同期処理部１２０は、TS個別フレーム同期処理部１２０ｃ−１〜１２０ｃ−８０を含む。TS個別フレーム同期処理部１２０ｃ−１〜１２０ｃ−８０は、FASの要素フラグ（F6要素フラグ、28要素フラグ）と連接情報とを受信して、内部の処理によって、制御情報（オーバヘッド位置情報、BIP演算範囲情報）を出力する。
【００６４】
図２１はTS個別フレーム同期処理部のブロック構成を示す図である。TS個別フレーム同期処理部１２０ｃは、FASパターン検出部１２１ｃ、状態遷移処理部１２２ｃおよびフレームカウンタ１２３ｃを含む。
【００６５】
FASパターン検出部１２１ｃは、FAS要素フラグ（F6要素フラグ、28要素フラグ）と、連接情報とにもとづいて、FASの出現パターン（F6F6F6282828）を検出して、FAS検出情報を出力する。
【００６６】
状態遷移処理部１２２ｃは、FAS検出情報により同期保護をとり、フレーム同期確立状態および同期はずれ状態の状態遷移を管理する。例えば、ｎ回連続して同期がとれた場合は、フレーム同期が確立している状態と認識し、ｎ回連続して同期がとれない場合は、同期はずれ状態と認識する。そして、同期確立か同期はずれかの認識結果を示す状態通知信号を出力する。
【００６７】
フレームカウンタ１２３ｃは、状態遷移処理部１２２ｃより、フレーム同期が確立しているか否かを示す同期確立情報を受け取り、LO−ODUフレームを認識するためのカウンタを動作させる。フレームカウンタ１２３ｃの値より、オーバヘッドの位置情報やBIPの演算範囲情報を生成して出力する。
【００６８】
図２２はFAS検出情報を示す図である。FASパターン検出部１２１ｃは、FASを検出した場合に、FAS検出情報としてFAS検出フラグとパターンID（TS＃2を先頭として検出したのか、TS＃5を先頭として検出したのかを識別するID）とを生成して、状態遷移処理部１２２ｃへ出力する。
【００６９】
図２３はフレームカウンタの動作を説明するための図である。状態遷移処理部１２２ｃでは、FAS検出情報に含まれるFAS検出フラグおよびパターンIDにもとづいて、保護をとって同期検出を行う。同期確立した場合は、フレームカウンタ１２３ｃにLoad信号を出力する。
【００７０】
フレームカウンタ１２３ｃは、Load信号を受け取ると、位相合わせのための初期化を行い、データとカウンタの同期化を行う。そして、オーバヘッド位置やBIPの演算範囲を特定し、制御情報として、オーバヘッド位置およびBIP演算範囲を出力する。
【００７１】
図２４はTS個別オーバヘッド処理部を示す図である。LO−ODUオーバヘッド処理部１２ｆは、TS個別オーバヘッド処理部１２ｆ−１〜１２ｆ−８０を含む。TS個別オーバヘッド処理部１２ｆ−１〜１２ｆ−８０は、LO−ODUオーバヘッド抽出部１２ｄ−１〜１２ｄ−８０から出力された、各TSからのオーバヘッド情報を収集してモニタ処理を行い、モニタ結果の出力を行う。
【００７２】
図２５はTS個別BIPチェック処理部を示す図である。BIPチェック処理部１２ｇは、TS個別BIPチェック処理部１２ｇ−１〜１２ｇ−８０を含む。TS個別BIPチェック処理部１２ｇ−１〜１２ｇ−８０は、BIP演算部１２ｅ−１〜１２ｅ−８０から送信された、各TSからのBIP演算結果を収集して１つに集約させて、LO−ODU単位のBIP演算結果として処理を行い、BIPチェック結果の出力を行う。
【００７３】
以上説明したように、本発明により、HO−ODUフレームに離散的にマッピングされたLO−ODUフレームに対して、LO−ODUを種別毎にデータ列を整形することなく先頭位置検出を行って、LO−ODUフレームを認識する。
【００７４】
このため、LO−ODUの種別毎にフレーム同期検出を行うための並列した複数の制御系の回路構成を持つ必要がなく、任意のLO−ODUの種別に対してフレーム同期検出を効率よく行うことができるので、装置規模の削減が可能になる。
【００７５】
また、各TSに分割したままの状態でオーバヘッドの抽出やBIP処理を実行しているので、LO−ODUから再びTSの列に戻すことなく、TS単位でクロスコネクトを行ったり、再び多重化したりすることが容易に行うことができるため、装置構成が簡素化できる。
【００７６】
なお、上記では、一例として、HO−ODU4のTS数＝８０に対して、LO−ODUがマッピングされている状態でのフレーム同期検出制御に関して説明したが、HO−ODU4に限定するものではない。例えば、HO−ODU3の場合はTS数＝３２となり、HO−ODU2の場合はTS数＝８となり、HO−ODU1の場合はTS数＝２となるが、基本装置構成は同様となる。
【００７７】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００７８】
１  通信システム
１０  フレーム受信装置
１１  フレーム受信部
１２  フレーム同期検出部
２０  フレーム送信装置
２１  フレーム送信部
【図１】
0005382217.tif 000002
【図２】
0005382217.tif 000003
【図３】
0005382217.tif 000004
【図４】
0005382217.tif 000005
【図５】
0005382217.tif 000006
【図６】
0005382217.tif 000007
【図７】
0005382217.tif 000008
【図８】
0005382217.tif 000009
【図９】
0005382217.tif 000010
【図１０】
0005382217.tif 000011
【図１１】
0005382217.tif 000012
【図１２】
0005382217.tif 000013
【図１３】
0005382217.tif 000014
【図１４】
0005382217.tif 000015
【図１５】
0005382217.tif 000016
【図１６】
0005382217.tif 000017
【図１７】
0005382217.tif 000018
【図１８】
0005382217.tif 000019
【図１９】
0005382217.tif 000020
【図２０】
0005382217.tif 000021
【図２１】
0005382217.tif 000022
【図２２】
0005382217.tif 000023
【図２３】
0005382217.tif 000024
【図２４】
0005382217.tif 000025
【図２５】
0005382217.tif 000026